(57)【特許請求の範囲】
【請求項１】
着色剤および水を含むインクジェット記録用インクであって、
前記着色剤が、下記一般式（１）で表される染料(ただし、下記化合物（２）を除く)を含み、
前記インクにおいて、エチレングリコールの配合割合が、下記（Ａ）および（Ａ’）の条件を満たすように設定されており、かつ、浸透剤の配合割合が、下記（Ａ’’）の条件を満たすように設定されており、
前記浸透剤が、エチレングリコールプロピルエーテル、ジエチレングリコールプロピルエーテル、ジエチレングリコールブチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、トリプロピレングリコールメチルエーテル、トリプロピレングリコールエチルエーテル、トリプロピレングリコールプロピルエーテルおよびトリプロピレングリコールブチルエーテルからなる群から選択される少なくとも一つを含むことを特徴とするインクジェット記録用インク。
（Ａ）  ３．５Ｘ−５≦Ｙ≦Ｘ＋１０
（Ａ’）２≦Ｙ≦１３
（Ａ’’）０＜Ｚ≦２０
Ｘ：インク全量に対する前記染料の配合割合（重量％）
Ｙ：インク全量に対するエチレングリコールの配合割合（重量％）
Ｚ：インク全量に対する浸透剤の配合割合（重量％）
【化１】
0005458490.tif 000013
前記一般式（１）において、
Ｒ1およびＲ2は、それぞれ、一価の基であり、前記一価の基は、水素原子、ハロゲン原子、アルキル基、シクロアルキル基、アラルキル基またはアリール基のいずれかであり、Ｒ1およびＲ2は同一でも異なっていてもよく、
Ｙ1およびＹ2は、それぞれ、一価の基であり、前記一価の基は、水素原子、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アミド基、アシルアミノ基、ウレイド基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基またはイミド基のいずれかであり、Ｙ1およびＹ2は同一でも異なっていてもよく、
Ｘ1およびＸ2は、それぞれ、電子吸引性基であり、前記電子吸引性基は、アシル基、アシルオキシ基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、ヘテロ環基、ハロゲン原子、アゾ基またはセレノシアネート基のいずれかであり、Ｘ1およびＸ2は同一でも異なっていてもよく、
Ｚ1およびＺ2は、それぞれ、水素原子、置換または無置換のアルキル基、置換または無置換のアルケニル基、置換または無置換のアルキニル基、置換または無置換のアリール基、置換または無置換のヘテロ環基のいずれかであり、Ｚ1およびＺ2は同一でも異なっていてもよく、
Ｍは、水素原子またはリチウムまたはカリウムまたはナトリウムである。
【化２】
0005458490.tif 000014
【請求項２】
イエローインクとして用いられる請求項１に記載のインクジェット記録用インク。
【請求項３】
前記着色剤が、下記一般式（１）で表される染料のみで構成されている請求項１または２のいずれか一項に記載のインクジェット記録用インク。
【請求項４】
インクジェット記録用インクを含むインクカートリッジであって、前記インクが、請求項１〜３のいずれか一項に記載のインクジェット記録用インクであることを特徴とするインクカートリッジ。
【請求項５】
インクカートリッジおよびインク吐出手段を含み、インクジェット記録用インクが前記インク吐出手段から吐出されるインクジェット記録装置であって、前記インクカートリッジが、請求項４記載のインクカートリッジであることを特徴とするインクジェット記録装置。
【請求項６】
着色剤および水を含むインクジェット記録用インクの安定化方法であって、
前記着色剤が、下記一般式（１）で表される染料(ただし、下記化合物（２）を除く)を含み、
前記インクにおいて、エチレングリコールの配合割合を、下記（Ａ）および（Ａ’）の条件を満たすように設定し、かつ、浸透剤の配合割合を、下記（Ａ’’）の条件を満たすように設定することで、前記インクを安定化し、
前記浸透剤が、エチレングリコールプロピルエーテル、ジエチレングリコールプロピルエーテル、ジエチレングリコールブチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、トリプロピレングリコールメチルエーテル、トリプロピレングリコールエチルエーテル、トリプロピレングリコールプロピルエーテルおよびトリプロピレングリコールブチルエーテルからなる群から選択される少なくとも一つを含むことを特徴とするインクジェット記録用インクの安定化方法。
（Ａ）  ３．５Ｘ−５≦Ｙ≦Ｘ＋１０
（Ａ’）２≦Ｙ≦１３
（Ａ’’）０＜Ｚ≦２０
Ｘ：インク全量に対する前記染料の配合割合（重量％）
Ｙ：インク全量に対するエチレングリコールの配合割合（重量％）
Ｚ：インク全量に対する浸透剤の配合割合（重量％）
【化３】
0005458490.tif 000015
前記一般式（１）において、
Ｒ1およびＲ2は、それぞれ、一価の基であり、前記一価の基は、水素原子、ハロゲン原子、アルキル基、シクロアルキル基、アラルキル基またはアリール基のいずれかであり、Ｒ1およびＲ2は同一でも異なっていてもよく、
Ｙ1およびＹ2は、それぞれ、一価の基であり、前記一価の基は、水素原子、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アミド基、アシルアミノ基、ウレイド基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基またはイミド基のいずれかであり、Ｙ1およびＹ2は同一でも異なっていてもよく、
Ｘ1およびＸ2は、それぞれ、電子吸引性基であり、前記電子吸引性基は、アシル基、アシルオキシ基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、ヘテロ環基、ハロゲン原子、アゾ基またはセレノシアネート基のいずれかであり、Ｘ1およびＸ2は同一でも異なっていてもよく、
Ｚ1およびＺ2は、それぞれ、水素原子、置換または無置換のアルキル基、置換または無置換のアルケニル基、置換または無置換のアルキニル基、置換または無置換のアリール基、置換または無置換のヘテロ環基のいずれかであり、Ｚ1およびＺ2は同一でも異なっていてもよく、
Ｍは、水素原子またはリチウムまたはカリウムまたはナトリウムである。
【化４】
0005458490.tif 000016
【発明の詳細な説明】
【技術分野】
【０００１】
本発明は、インクジェット記録用インク、インクカートリッジ、インクジェット記録装置およびインクジェット記録用インクの安定化方法に関する。
【背景技術】
【０００２】
従来から、インクジェット記録用インクとして、染料、エチレングリコールおよびグリセリン等を含むインクが知られている（例えば、特許文献１参照）。前記インクには、（１）長期間の保存においても劣化せず、保存安定性に優れていること、（２）インクジェット記録装置において、顔料インクと併用する場合においても、前記顔料インクとの接触により凝集を起こさず、吐出安定性に優れていること、（３）記録物の耐光性、耐オゾン性等の堅牢性に優れていることが求められる。しかしながら、従来のインクには、前記すべての性能を満たすものがなかった。
【０００３】
【特許文献１】特開平１０−３６７３６号公報
【発明の開示】
【発明が解決しようとする課題】
【０００４】
そこで、本発明は、保存安定性および吐出安定性に優れ、且つ、記録物の堅牢性にも優れるインクジェット記録用インクを提供することを目的とする。
【課題を解決するための手段】
【０００５】
前記目的を達成するために、本発明のインクジェット記録用インクは、着色剤および水を含むインクジェット記録用インクであって、前記着色剤が、下記一般式（１）で表される染料(ただし、下記化合物（２）を除く)を含み、前記インクにおいて、エチレングリコールの配合割合が、下記（Ａ）および（Ａ’）の条件を満たすように設定されており、かつ、浸透剤の配合割合が、下記（Ａ’’）の条件を満たすように設定されており、
前記浸透剤が、エチレングリコールプロピルエーテル、ジエチレングリコールプロピルエーテル、ジエチレングリコールブチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、トリプロピレングリコールメチルエーテル、トリプロピレングリコールエチルエーテル、トリプロピレングリコールプロピルエーテルおよびトリプロピレングリコールブチルエーテルからなる群から選択される少なくとも一つを含むことを特徴とする。
（Ａ）  ３．５Ｘ−５≦Ｙ≦Ｘ＋１０
（Ａ’）２≦Ｙ≦１３
（Ａ’’）０＜Ｚ≦２０
Ｘ：インク全量に対する前記染料の配合割合（重量％）
Ｙ：インク全量に対するエチレングリコールの配合割合（重量％）
Ｚ：インク全量に対する浸透剤の配合割合（重量％）
【化１】
0005458490.tif 000002
前記一般式（１）において、
Ｒ1およびＲ2は、それぞれ、一価の基であり、前記一価の基は、水素原子、ハロゲン原子、アルキル基、シクロアルキル基、アラルキル基またはアリール基のいずれかであり、Ｒ1およびＲ2は同一でも異なっていてもよく、
Ｙ1およびＹ2は、それぞれ、一価の基であり、前記一価の基は、水素原子、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アミド基、アシルアミノ基、ウレイド基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基またはイミド基のいずれかであり、Ｙ1およびＹ2は同一でも異なっていてもよく、
Ｘ1およびＸ2は、それぞれ、電子吸引性基であり、前記電子吸引性基は、アシル基、アシルオキシ基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、ヘテロ環基、ハロゲン原子、アゾ基またはセレノシアネート基のいずれかであり、Ｘ1およびＸ2は同一でも異なっていてもよく、
Ｚ1およびＺ2は、それぞれ、水素原子、置換または無置換のアルキル基、置換または無置換のアルケニル基、置換または無置換のアルキニル基、置換または無置換のアリール基、置換または無置換のヘテロ環基のいずれかであり、Ｚ1およびＺ2は同一でも異なっていてもよく、
Ｍは、水素原子またはリチウムまたはカリウムまたはナトリウムである。
【化２】
0005458490.tif 000003
【発明の効果】
【０００６】
本発明者等は、一連の研究を重ねたところ、前記染料を含むインクにおいて、エチレングリコールの配合割合を前記（Ａ）および（Ａ’）の条件を満たすように設定し、かつ、前記所定の浸透剤の配合割合を前記（Ａ’’）の条件を満たすように設定すれば、保存安定性、吐出安定性および記録物の堅牢性のすべての性能に優れることを見出し、本発明に至った。このような性能の向上は、本発明者等が初めて見出したものである。本発明のインクが前記すべての性能に優れるメカニズムは、例えば、つぎのように推測される。前記染料は、前記染料を含むインクを用いた記録物の耐光性、耐オゾン性等の堅牢性に優れる。しかし、前記染料は、水素結合性の極めて高いトリアジン骨格を有するため、例えば、インクが水酸基を有する溶剤を含む場合、長期間保存すると、前記溶剤との接触により前記染料の一部が分解してしまうことがある。これに対し、本発明のインクは、水酸基を含む溶剤の中でも、特にエチレングリコールを選択し、且つ、前記エチレングリコールを、Ｙ≦Ｘ＋１０の条件を満たす配合割合で含むことにより、前記染料の分解が抑制される。また、前記染料は、例えば、顔料インクと併用する場合、前記顔料インクとの接触により、凝集を起こしやすい。前記凝集が起こると、例えば、インクジェットヘッドのノズルへの前記凝集物の付着により、インクの吐出曲がりを引き起こすおそれがある。また、前記凝集物が、インクジェット記録装置のメンテナンス機構に詰まるおそれもある。これに対し、本発明のインクは、例えば、顔料インクと併用する場合においても、前記エチレングリコールの配合割合が、Ｙ≧３．５Ｘ−５の条件を満たすように設定されているため、前記凝集の発生が抑制される。これらの性能向上のメカニズムは推測であり、本発明を何ら限定しない。
【発明を実施するための最良の形態】
【００１０】
本発明のインクジェット記録用インクの用途は、特に限定されず、例えば、イエローインクとして用いることができる。ただし、本発明は、これに限定されない。本発明のインクジェット記録用インクは、前記染料以外の着色剤を用いることにより、イエロー以外の色のインクとすることもできる。
【００１１】
本発明のインクカートリッジは、インクジェット記録用インクを含むインクカートリッジであって、前記インクが、本発明の前記インクジェット記録用インクであることを特徴とする。
【００１２】
本発明のインクジェット記録装置は、インクカートリッジおよびインク吐出手段を含み、インクジェット記録用インクが前記インク吐出手段から吐出されるインクジェット記録装置であって、前記インクカートリッジが、本発明の前記インクカートリッジであることを特徴とする。
【００１３】
本発明のインクジェット記録用インクの安定化方法は、着色剤および水を含むインクジェット記録用インクの安定化方法であって、
前記着色剤が、下記一般式（１）で表される染料(ただし、下記化合物（２）を除く)を含み、
前記インクにおいて、エチレングリコールの配合割合を、下記（Ａ）および（Ａ’）の条件を満たすように設定し、かつ、浸透剤の配合割合を、下記（Ａ’’）の条件を満たすように設定することで、前記インクを安定化し、
前記浸透剤が、エチレングリコールプロピルエーテル、ジエチレングリコールプロピルエーテル、ジエチレングリコールブチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、トリプロピレングリコールメチルエーテル、トリプロピレングリコールエチルエーテル、トリプロピレングリコールプロピルエーテルおよびトリプロピレングリコールブチルエーテルからなる群から選択される少なくとも一つを含むことを特徴とする。
（Ａ）  ３．５Ｘ−５≦Ｙ≦Ｘ＋１０
（Ａ’）２≦Ｙ≦１３
（Ａ’’）０＜Ｚ≦２０
Ｘ：インク全量に対する前記染料の配合割合（重量％）
Ｙ：インク全量に対するエチレングリコールの配合割合（重量％）
Ｚ：インク全量に対する浸透剤の配合割合（重量％）
【化２】
0005458490.tif 000004
前記一般式（１）において、
Ｒ1およびＲ2は、それぞれ、一価の基であり、前記一価の基は、水素原子、ハロゲン原子、アルキル基、シクロアルキル基、アラルキル基またはアリール基のいずれかであり、Ｒ1およびＲ2は同一でも異なっていてもよく、
Ｙ1およびＹ2は、それぞれ、一価の基であり、前記一価の基は、水素原子、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アミド基、アシルアミノ基、ウレイド基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基またはイミド基のいずれかであり、Ｙ1およびＹ2は同一でも異なっていてもよく、
Ｘ1およびＸ2は、それぞれ、電子吸引性基であり、前記電子吸引性基は、アシル基、アシルオキシ基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、ヘテロ環基、ハロゲン原子、アゾ基またはセレノシアネート基のいずれかであり、Ｘ1およびＸ2は同一でも異なっていてもよく、
Ｚ1およびＺ2は、それぞれ、水素原子、置換または無置換のアルキル基、置換または無置換のアルケニル基、置換または無置換のアルキニル基、置換または無置換のアリール基、置換または無置換のヘテロ環基のいずれかであり、Ｚ1およびＺ2は同一でも異なっていてもよく、
Ｍは、水素原子またはリチウムまたはカリウムまたはナトリウムである。
【化２】
0005458490.tif 000005
【００１４】
つぎに、本発明のインクジェット記録用インクについて説明する。本発明のインクは、着色剤および水を含む。前述のとおり、前記着色剤は、前記染料を含む。
【００１５】
前述のとおり、前記染料は、前記一般式（１）で表される染料である。
【００１６】
前記一般式（１）において、Ｒ１、Ｒ２、Ｙ１およびＹ２は、それぞれ、一価の基であり、Ｒ１、Ｒ２、Ｙ１およびＹ２は同一でも異なっていてもよい。前記一価の基は、水素原子、または一価の置換基である。前記一価の置換基としては、例えば、ハロゲン原子；アルキル基；シクロアルキル基；アラルキル基；アルケニル基；アルキニル基；アリール基；ヘテロ環基；シアノ基；ヒドロキシル基；ニトロ基；アルコキシ基；アリールオキシ基；シリルオキシ基；ヘテロ環オキシ基；アシルオキシ基；カルバモイルオキシ基；アルコキシカルボニルオキシ基；アリールオキシカルボニルオキシ基；アルキルアミノ基、アリールアミノ基等のアミノ基；アミド基；アシルアミノ基；ウレイド基；アミノカルボニルアミノ基；アルコキシカルボニルアミノ基；アリールオキシカルボニルアミノ基；スルファモイルアミノ基；アルキルスルホニルアミノ基；アリールスルホニルアミノ基；アルキルチオ基；アリールチオ基；ヘテロ環チオ基；スルファモイル基；アルキルスルフィニル基；アリールスルフィニル基；アルキルスルホニル基；アリールスルホニル基；アシル基；アリールオキシカルボニル基；アルコキシカルボニル基；カルバモイル基；ホスフィノ基；ホスフィニル基；ホスフィニルオキシ基；ホスフィニルアミノ基；シリル基；アゾ基；イミド基等があげられる。前記一価の置換基は、さらに置換基を有していてもよい。これらの中でも、好ましい前記一価の置換基は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基であり、より好ましくは、水素原子、アルキル基、アリール基、シアノ基、アルキルスルホニル基である。
【００１７】
前記ハロゲン原子は、塩素原子、臭素原子またはヨウ素原子である。これらの中でも、好ましくは、塩素原子、臭素原子である。
【００１８】
前記アルキル基は、置換または無置換のアルキル基を含む。前記置換または無置換のアルキル基は、好ましくは、炭素原子数１〜３０のアルキル基である。前記アルキル基としては、例えば、メチル基、エチル基、ブチル基、ｔ−ブチル基、ｎ−オクチル基、エイコシル基、２−クロロエチル基、ヒドロキシエチル基、シアノエチル基、４−スルホブチル基等があげられる。前記置換アルキル基の置換基としては、例えば、メチル基、エチル基、プロピル基、イソプロピル基、ｓｅｃ-ブチル基、ｔ−ブチル基、２−エチルヘキシル基、２−メチルスルホニルエチル基、３−フェノキシプロピル基、トリフルオロメチル基等の炭素原子数１〜１２の直鎖または分岐鎖アルキル基；炭素原子数７〜１８の直鎖または分岐鎖アラルキル基；炭素原子数２〜１２の直鎖または分岐鎖アルケニル基；炭素原子数２〜１２の直鎖または分岐鎖アルキニル基；シクロペンチル基等の炭素原子数３〜１２の直鎖または分岐鎖シクロアルキル基；炭素原子数３〜１２の直鎖または分岐鎖シクロアルケニル基；塩素原子、臭素原子等のハロゲン原子；フェニル基、４−ｔ−ブチルフェニル基、２，４−ジ−ｔ−アミルフェニル基等のアリール基；イミダゾリル基、ピラゾリル基、トリアゾリル基、２−フリル基、２−チエニル基、２−ピリミジニル基、２−ベンゾチアゾリル基等のヘテロ環基；シアノ基；ヒドロキシル基；ニトロ基；カルボキシ基；アミノ基；メトキシ基、エトキシ基、２−メトキシエトキシ基、２−メチルスルホニルエトキシ基等のアルコキシ基；フェノキシ基、２−メチルフェノキシ基、４−ｔ−ブチルフェノキシ基、３−ニトロフェノキシ基、３−ｔ−ブチルオキシカルボニルフェノキシ基、３−メトキシカルボニルフェニルオキシ基等のアリールオキシ基；アセトアミド基、ベンズアミド基、４−（３−ｔ−ブチル−４−ヒドロキシフェノキシ）ブタンアミド基等のアシルアミノ基；メチルアミノ基、ブチルアミノ基、ジエチルアミノ基、メチルブチルアミノ基等のアルキルアミノ基；フェニルアミノ基、２−クロロアニリノ基等のアリールアミノ基；フェニルウレイド基、メチルウレイド基、Ｎ，Ｎ−ジブチルウレイド基等のウレイド基；Ｎ，Ｎ−ジプロピルスルファモイルアミノ基等のスルファモイルアミノ基；メチルチオ基、オクチルチオ基、２−フェノキシエチルチオ基等のアルキルチオ基；フェニルチオ基、２−ブトキシ−５−ｔ−オクチルフェニルチオ基、２−カルボキシフェニルチオ基等のアリールチオ基；メトキシカルボニルアミノ基等のアルコキシカルボニルアミノ基；メチルスルホニルアミノ基等のアルキルスルホニルアミノ基；フェニルスルホニルアミノ基、ｐ−トルエンスルホニルアミノ基等のアリールスルホニルアミノ基；Ｎ−エチルカルバモイル基、Ｎ，Ｎ−ジブチルカルバモイル基等のカルバモイル基；Ｎ−エチルスルファモイル基、Ｎ，Ｎ−ジプロピルスルファモイル基、Ｎ−フェニルスルファモイル基等のスルファモイル基；メチルスルホニル基、オクチルスルホニル基、フェニルスルホニル基、ｐ−トルエンスルホニル基等のスルホニル基；メトキシカルボニル基、ブチルオキシカルボニル基等のアルコキシカルボニル基；１−フェニルテトラゾール−５−オキシ基、２−テトラヒドロピ��ニルオキシ基等のヘテロ環オキシ基；フェニルアゾ基、４−メトキシフェニルアゾ基、４−ピバロイルアミノフェニルアゾ基、２−ヒドロキシ−４−プロパノイルフェニルアゾ基等のアゾ基；アセトキシ基等のアシルオキシ基；Ｎ−メチルカルバモイルオキシ基、Ｎ−フェニルカルバモイルオキシ基等のカルバモイルオキシ基；トリメチルシリルオキシ基、ジブチルメチルシリルオキシ基等のシリルオキシ基；フェノキシカルボニルアミノ基等のアリールオキシカルボニルアミノ基；Ｎ−スクシンイミド基、Ｎ−フタルイミド基等のイミド基；２−ベンゾチアゾリルチオ基、２，４−ジ−フェノキシ−１，３，５−トリアゾール−６−チオ基、２−ピリジルチオ基等のヘテロ環チオ基；３−フェノキシプロピルスルフィニル基等のスルフィニル基；フェノキシホスホニル基、オクチルオキシホスホニル基、フェニルホスホニル基等のホスホニル基；フェノキシカルボニル基等のアリールオキシカルボニル基；アセチル基、３−フェニルプロパノイル基、ベンゾイル基等のアシル基；カルボキシル基、スルホ基、ホスホノ基、４級アンモニウム基等のイオン性親水性基等があげられる。前記置換アルキル基の置換基である前記アルキル基、前記アラルキル基、前記アルケニル基、前記アルキニル基、前記シクロアルキル基および前記シクロアルケニル基は、染料の溶解性およびインクの安定性を向上させる観点から、分岐鎖を有するものが好ましく、不斉炭素を有するものが特に好ましい。これらの中でも、好ましい前記置換アルキル基の置換基は、ヒドロキシ基、アルコキシ基、シアノ基、ハロゲン原子、スルホ基（塩の形でもよい）、カルボキシル基（塩の形でもよい）である。
【００１９】
前記シクロアルキル基は、置換または無置換のシクロアルキル基を含む。前記置換または無置換のシクロアルキル基は、好ましくは、炭素原子数５〜３０のシクロアルキル基である。前記置換シクロアルキル基の置換基としては、例えば、前記置換アルキル基の置換基としてあげたような置換基と同じものがあげられる。前記シクロアルキル基としては、例えば、シクロヘキシル基、シクロペンチル基、４−ｎ−ドデシルシクロヘキシル基等があげられる。
【００２０】
前記アラルキル基は、置換または無置換のアラルキル基を含む。前記置換または無置換のアラルキル基は、好ましくは、炭素原子数７〜３０のアラルキル基である。前記置換アラルキル基の置換基としては、例えば、前記置換アルキル基の置換基としてあげたような置換基と同じものがあげられる。前記アラルキル基としては、例えば、ベンジル基、２−フェネチル基等があげられる。
【００２１】
前記アルケニル基は、直鎖、分岐、環状の置換または無置換のアルケニル基である。前記アルケニル基は、好ましくは、炭素原子数２〜３０の置換または無置換のアルケニル基である。前記置換アルケニル基の置換基としては、例えば、前記置換アルキル基の置換基としてあげたような置換基と同じものがあげられる。前記アルケニル基としては、例えば、ビニル基、アリル基、プレニル基、ゲラニル基、オレイル基、２−シクロペンテン−１−イル基、シクロヘキセン−１−イル基等があげられる。
【００２２】
前記アルキニル基は、炭素原子数２〜３０の置換または無置換のアルキニル基である。前記置換アルキニル基の置換基としては、例えば、前記置換アルキル基の置換基としてあげたような置換基と同じものがあげられる。前記アルキニル基としては、例えば、エチニル基、プロパルギル基等があげられる。
【００２３】
前記アリール基は、炭素原子数６〜３０の置換または無置換のアリール基である。前記アリール基としては、例えば、フェニル基、ｐ−トリル基、ナフチル基、ｍ−クロロフェニル基、ｏ−ヘキサデカノイルアミノフェニル基等があげられる。前記置換アリール基の置換基としては、例えば、前記置換アルキル基の置換基としてあげたような置換基と同じものがあげられる。
【００２４】
前記ヘテロ環基は、５または６員の置換または無置換の、芳香族または非芳香族のヘテロ環化合物から一個の水素原子を取り除いた一価の基であり、それらは更に縮環していてもよい。前記へテロ環基は、好ましくは、炭素原子数３〜３０の５または６員の芳香族のヘテロ環基である。前記置換ヘテロ環基の置換基としては、例えば、前記置換アルキル基の置換基としてあげたような置換基と同じものがあげられる。前記ヘテロ環基としては、置換位置を限定しないと、例えば、ピリジン基、ピラジン基、ピリダジン基、ピリミジン基、トリアジン基、キノリン基、イソキノリン基、キナゾリン基、シンノリン基、フタラジン基、キノキサリン基、ピロール基、インドール基、フラン基、ベンゾフラン基、チオフェン基、ベンゾチオフェン基、ピラゾール基、イミダゾール基、ベンズイミダゾール基、トリアゾール基、オキサゾール基、ベンズオキサゾール基、チアゾール基、ベンゾチアゾール基、イソチアゾール基、ベンズイソチアゾール基、チアジアゾール基、イソオキサゾール基、ベンズイソオキサゾール基、ピロリジン基、ピペリジン基、ピペラジン基、イミダゾリジン基、チアゾリン基等があげられる。
【００２５】
前記アルコキシ基は、置換または無置換のアルコキシ基を含む。前記置換または無置換のアルコキシ基は、好ましくは、炭素原子数１〜３０のアルコキシ基である。前記置換アルコキシ基の置換基としては、例えば、前記置換アルキル基の置換基としてあげたような置換基と同じものがあげられる。前記アルコキシ基としては、例えば、メトキシ基、エトキシ基、イソプロポキシ基、ｎ−オクチルオキシ基、メトキシエトキシ基、ヒドロキシエトキシ基、３−カルボキシプロポキシ基等があげられる。
【００２６】
前記アリールオキシ基は、好ましくは、炭素原子数６〜３０の置換または無置換のアリールオキシ基である。前記置換アリールオキシ基の置換基としては、例えば、前記置換アルキル基の置換基としてあげたような置換基と同じものがあげられる。前記アリールオキシ基としては、例えば、フェノキシ基、２−メチルフェノキシ基、４−ｔ−ブチルフェノキシ基、３−ニトロフェノキシ基、２−テトラデカノイルアミノフェノキシ基等があげられる。
【００２７】
前記シリルオキシ基は、好ましくは、炭素原子数３〜２０のシリルオキシ基である。前記シリルオキシ基としては、例えば、トリメチルシリルオキシ基、ｔ−ブチルジメチルシリルオキシ基等があげられる。
【００２８】
前記ヘテロ環オキシ基は、好ましくは、炭素原子数２〜３０の置換または無置換のヘテロ環オキシ基である。前記置換ヘテロ環オキシ基の置換基としては、例えば、前記置換アルキル基の置換基としてあげたような置換基と同じものがあげられる。前記ヘテロ環オキシ基としては、例えば、１−フェニルテトラゾール−５−オキシ基、２−テトラヒドロピラニルオキシ基等があげられる。
【００２９】
前記アシルオキシ基は、好ましくは、ホルミルオキシ基、炭素原子数２〜３０の置換または無置換のアルキルカルボニルオキシ基、炭素原子数６〜３０の置換または無置換のアリールカルボニルオキシ基である。前記置換アルキルカルボニルオキシ基および前記置換アリールカルボニルオキシ基の置換基としては、例えば、前記置換アルキル基の置換基としてあげたような置換基と同じものがあげられる。前記アシルオキシ基としては、例えば、ホルミルオキシ基、アセチルオキシ基、ピバロイルオキシ基、ステアロイルオキシ基、ベンゾイルオキシ基、ｐ−メトキシフェニルカルボニルオキシ基等があげられる。
【００３０】
前記カルバモイルオキシ基は、好ましくは、炭素原子数１〜３０の置換または無置換のカルバモイルオキシ基である。前記置換カルバモイルオキシ基の置換基としては、例えば、前記置換アルキル基の置換基としてあげたような置換基と同じものがあげられる。前記カルバモイルオキシ基としては、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等があげられる。
【００３１】
前記アルコキシカルボニルオキシ基は、好ましくは、炭素原子数２〜３０の置換または無置換のアルコキシカルボニルオキシ基である。前記置換アルコキシカルボニルオキシ基の置換基としては、例えば、前記置換アルキル基の置換基としてあげたような置換基と同じものがあげられる。前記アルコキシカルボニルオキシ基としては、例えば、メトキシカルボニルオキシ基、エトキシカルボニルオキシ基、ｔ−ブトキシカルボニルオキシ基、ｎ−オクチルカルボニルオキシ基等があげられる。
【００３２】
前記アリールオキシカルボニルオキシ基は、好ましくは、炭素原子数７〜３０の置換または無置換のアリールオキシカルボニルオキシ基である。前記置換アリールオキシカルボニルオキシ基の置換基としては、例えば、前記置換アルキル基の置換基としてあげたような置換基と同じものがあげられる。前記アリールオキシカルボニルオキシ基としては、例えば、フェノキシカルボニルオキシ基、ｐ−メトキシフェノキシカルボニルオキシ基、ｐ−ｎ−ヘキサデシルオキシフェノキシカルボニルオキシ基等があげられる。
【００３３】
前記アミノ基は、好ましくは、炭素原子数１〜３０の置換または無置換のアルキルアミノ基、炭素原子数６〜３０の置換または無置換のアリールアミノ基である。前記置換アルキルアミノ基および前記置換アリールアミノ基の置換基としては、例えば、前記置換アルキル基の置換基としてあげたような置換基と同じものがあげられる。前記アミノ基としては、例えば、アミノ基、メチルアミノ基、ジメチルアミノ基、アニリノ基、Ｎ−メチル−アニリノ基、ジフェニルアミノ基、ヒドロキシエチルアミノ基、カルボキシエチルアミノ基、スルフォエチルアミノ基、３，５−ジカルボキシアニリノ基等があげられる。
【００３４】
前記アシルアミノ基は、好ましくは、ホルミルアミノ基、炭素原子数１〜３０の置換または無置換のアルキルカルボニルアミノ基、炭素原子数６〜３０の置換または無置換のアリールカルボニルアミノ基である。前記置換アルキルカルボニルアミノ基および前記置換アリールカルボニルアミノ基の置換基としては、例えば、前記置換アルキル基の置換基としてあげたような置換基と同じものがあげられる。前記アシルアミノ基としては、例えば、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基等があげられる。
【００３５】
前記アミノカルボニルアミノ基は、好ましくは、炭素原子数１〜３０の置換または無置換のアミノカルボニルアミノ基である。前記置換アミノカルボニルアミノ基の置換基としては、例えば、前記置換アルキル基の置換基としてあげたような置換基と同じものがあげられる。前記アミノカルボニルアミノ基としては、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等があげられる。
【００３６】
前記アルコキシカルボニルアミノ基は、好ましくは、炭素原子数２〜３０の置換または無置換のアルコキシカルボニルアミノ基である。前記置換アルコキシカルボニルアミノ基の置換基としては、例えば、前記置換アルキル基の置換基としてあげたような置換基と同じものがあげられる。前記アルコキシカルボニルアミノ基としては、例えば、メトキシカルボニルアミノ基、エトキシカルボニルアミノ基、ｔ−ブトキシカルボニルアミノ基、ｎ−オクタデシルオキシカルボニルアミノ基、Ｎ−メチル−メトキシカルボニルアミノ基等があげられる。
【００３７】
前記アリールオキシカルボニルアミノ基は、好ましくは、炭素原子数７〜３０の置換または無置換のアリールオキシカルボニルアミノ基である。前記置換アリールオキシカルボニルアミノ基の置換基としては、例えば、前記置換アルキル基の置換基としてあげたような置換基と同じものがあげられる。前記アリールオキシカルボニルアミノ基としては、例えば、フェノキシカルボニルアミノ基、ｐ−クロロフェノキシカルボニルアミノ基、ｍ−ｎ−オクチルオキシフェノキシカルボニルアミノ基等があげられる。
【００３８】
前記スルファモイルアミノ基は、好ましくは、炭素原子数０〜３０の置換または無置換のスルファモイルアミノ基である。前記置換スルファモイルアミノ基の置換基としては、例えば、前記置換アルキル基の置換基としてあげたような置換基と同じものがあげられる。前記スルファモイルアミノ基としては、例えば、スルファモイルアミノ基、Ｎ，Ｎ−ジメチルアミノスルホニルアミノ基、Ｎ−ｎ−オクチルアミノスルホニルアミノ基等があげられる。
【００３９】
前記アルキルスルホニルアミノ基は、好ましくは、炭素原子数１〜３０の置換または無置換のアルキルスルホニルアミノ基である。前記置換アルキルスルホニルアミノ基の置換基としては、例えば、前記置換アルキル基の置換基としてあげたような置換基と同じものがあげられる。前記アルキルスルホニルアミノ基としては、例えば、メチルスルホニルアミノ基、ブチルスルホニルアミノ基等があげられる。
【００４０】
前記アリールスルホニルアミノ基は、好ましくは、炭素原子数６〜３０の置換または無置換のアリールスルホニルアミノ基である。前記置換アリールスルホニルアミノ基の置換基としては、例えば、前記置換アルキル基の置換基としてあげたような置換基と同じものがあげられる。前記アリールスルホニルアミノ基としては、例えば、フェニルスルホニルアミノ基、２，３，５−トリクロロフェニルスルホニルアミノ基、ｐ−メチルフェニルスルホニルアミノ基等があげられる。
【００４１】
前記アルキルチオ基は、好ましくは、炭素原子数１〜３０の置換または無置換のアルキルチオ基である。前記置換アルキルチオ基の置換基としては、例えば、前記置換アルキル基の置換基としてあげたような置換基と同じものがあげられる。前記アルキルチオ基としては、例えば、メチルチオ基、エチルチオ基、ｎ−ヘキサデシルチオ基等があげられる。
【００４２】
前記アリールチオ基は、好ましくは、炭素原子数６〜３０の置換または無置換のアリールチオ基である。前記置換アリールチオ基の置換基としては、例えば、前記置換アルキル基の置換基としてあげたような置換基と同じものがあげられる。前記アリールチオ基としては、例えば、フェニルチオ基、ｐ−クロロフェニルチオ基、ｍ−メトキシフェニルチオ基等があげられる。
【００４３】
前記ヘテロ環チオ基は、好ましくは、炭素原子数２〜３０の置換または無置換のヘテロ環チオ基である。前記置換ヘテロ環チオ基の置換基としては、例えば、前記置換アルキル基の置換基としてあげたような置換基と同じものがあげられる。前記ヘテロ環チオ基としては、例えば、２−ベンゾチアゾリルチオ基、１−フェニルテトラゾール−５−イルチオ基等があげられる。
【００４４】
前記スルファモイル基は、好ましくは、炭素原子数０〜３０の置換または無置換のスルファモイル基である。前記置換スルファモイル基の置換基としては、例えば、前記置換アルキル基の置換基としてあげたような置換基と同じものがあげられる。前記スルファモイル基としては、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等があげられる。
【００４５】
前記アルキルスルフィニル基は、好ましくは、炭素原子数１〜３０の置換または無置換のアルキルスルフィニル基である。前記置換アルキルスルフィニル基の置換基としては、例えば、前記置換アルキル基の置換基としてあげたような置換基と同じものがあげられる。前記アルキルスルフィニル基としては、例えば、メチルスルフィニル基、エチルスルフィニル基等があげられる。
【００４６】
前記アリールスルフィニル基は、好ましくは、炭素原子数６〜３０の置換または無置換のアリールスルフィニル基である。前記置換アリールスルフィニル基の置換基としては、例えば、前記置換アルキル基の置換基としてあげたような置換基と同じものがあげられる。前記アリールスルフィニル基としては、例えば、フェニルスルフィニル基、ｐ−メチルフェニルスルフィニル基等があげられる。
【００４７】
前記アルキルスルホニル基は、好ましくは、炭素原子数１〜３０の置換または無置換のアルキルスルホニル基である。前記置換アルキルスルホニル基の置換基としては、例えば、前記置換アルキル基の置換基としてあげたような置換基と同じものがあげられる。前記アルキルスルホニル基としては、例えば、メチルスルホニル基、エチルスルホニル基等があげられる。
【００４８】
前記アリールスルホニル基は、好ましくは、炭素原子数６〜３０の置換または無置換のアリールスルホニル基である。前記置換アリールスルホニル基の置換基としては、例えば、前記置換アルキル基の置換基としてあげたような置換基と同じものがあげられる。前記アリールスルホニル基としては、例えば、フェニルスルホニル基、ｐ−トルエンスルホニル基等があげられる。
【００４９】
前記アシル基は、好ましくは、ホルミル基、炭素原子数２〜３０の置換または無置換のアルキルカルボニル基、炭素原子数７〜３０の置換または無置換のアリールカルボニル基、炭素原子数４〜３０の置換または無置換の炭素原子でカルボニル基と結合しているヘテロ環カルボニル基である。前記置換アルキルカルボニル基、前記置換アリールカルボニル基、前記ヘテロ環カルボニル基の置換基としては、例えば、前記置換アルキル基の置換基としてあげたような置換基と同じものがあげられる。前記アシル基としては、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等があげられる。
【００５０】
前記アリールオキシカルボニル基は、好ましくは、炭素原子数７〜３０の置換または無置換のアリールオキシカルボニル基である。前記置換アリールオキシカルボニル基の置換基としては、例えば、前記置換アルキル基の置換基としてあげたような置換基と同じものがあげられる。前記アリールオキシカルボニル基としては、例えば、フェノキシカルボニル基、ｏ−クロロフェノキシカルボニル基、ｍ−ニトロフェノキシカルボニル基、ｐ−ｔ−ブチルフェノキシカルボニル基等があげられる。
【００５１】
前記アルコキシカルボニル基は、好ましくは、炭素原子数２〜３０の置換または無置換のアルコキシカルボニル基である。前記置換アルコキシカルボニル基の置換基としては、例えば、前記置換アルキル基の置換基としてあげたような置換基と同じものがあげられる。前記アルコキシカルボニル基としては、例えば、メトキシカルボニル基、エトキシカルボニル基、ｔ−ブトキシカルボニル基、ｎ−オクタデシルオキシカルボニル基等があげられる。
【００５２】
前記カルバモイル基は、好ましくは、炭素原子数１〜３０の置換または無置換のカルバモイル基である。前記置換カルバモイル基の置換基としては、例えば、前記置換アルキル基の置換基としてあげたような置換基と同じものがあげられる。前記カルバモイル基としては、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等があげられる。
【００５３】
前記ホスフィノ基は、好ましくは、炭素原子数２〜３０の置換または無置換のホスフィノ基である。前記置換ホスフィノ基の置換基としては、例えば、前記置換アルキル基の置換基としてあげたような置換基と同じものがあげられる。前記ホスフィノ基としては、例えば、ジメチルホスフィノ基、ジフェニルホスフィノ基、メチルフェノキシホスフィノ基等があげられる。
【００５４】
前記ホスフィニル基は、好ましくは、炭素原子数２〜３０の置換または無置換のホスフィニル基である。前記置換ホスフィニル基の置換基としては、例えば、前記置換アルキル基の置換基としてあげたような置換基と同じものがあげられる。前記ホスフィニル基としては、例えば、ホスフィニル基、ジオクチルオキシホスフィニル基、ジエトキシホスフィニル基等があげられる。
【００５５】
前記ホスフィニルオキシ基は、好ましくは、炭素原子数２〜３０の置換または無置換のホスフィニルオキシ基である。前記置換ホスフィニルオキシ基の置換基としては、例えば、前記置換アルキル基の置換基としてあげたような置換基と同じものがあげられる。前記ホスフィニルオキシ基としては、例えば、ジフェノキシホスフィニルオキシ基、ジオクチルオキシホスフィニルオキシ基等があげられる。
【００５６】
前記ホスフィニルアミノ基は、好ましくは、炭素原子数２〜３０の置換または無置換のホスフィニルアミノ基である。前記置換ホスフィニルアミノ基の置換基としては、例えば、前記置換アルキル基の置換基としてあげたような置換基と同じものがあげられる。前記ホスフィニルアミノ基としては、例えば、ジメトキシホスフィニルアミノ基、ジメチルアミノホスフィニルアミノ基等があげられる。
【００５７】
前記シリル基は、好ましくは、炭素原子数３〜３０の置換または無置換のシリル基である。前記置換シリル基の置換基としては、例えば、前記置換アルキル基の置換基としてあげたような置換基と同じものがあげられる。前記シリル基としては、例えば、トリメチルシリル基、ｔ−ブチルジメチルシリル基、フェニルジメチルシリル基等があげられる。
【００５８】
前記アゾ基としては、例えば、フェニルアゾ基、４−メトキシフェニルアゾ基、４−ピバロイルアミノフェニルアゾ基、２−ヒドロキシ−４−プロパノイルフェニルアゾ基等があげられる。
【００５９】
前記イミド基としては、例えば、Ｎ−スクシンイミド基、Ｎ−フタルイミド基等があげられる。
【００６０】
前記一般式（１）において、Ｘ１およびＸ２は、それぞれ、電子吸引性基であり、Ｘ１およびＸ２は同一でも異なっていてもよい。前記Ｘ１およびＸ２としては、例えば、アシル基、アシルオキシ基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、他の電子吸引性基で置換されたアリール基、ヘテロ環基、ハロゲン原子、アゾ基、セレノシアネート基等があげられる。
【００６１】
前記Ｘ１およびＸ２は、好ましくは、炭素原子数２〜１２のアシル基、炭素原子数２〜１２のアシルオキシ基、炭素原子数１〜１２のカルバモイル基、炭素原子数２〜１２のアルコキシカルボニル基、炭素原子数７〜１８のアリールオキシカルボニル基、シアノ基、ニトロ基、炭素原子数１〜１２のアルキルスルフィニル基、炭素原子数６〜１８のアリールスルフィニル基、炭素原子数１〜１２のアルキルスルホニル基、炭素原子数６〜１８のアリールスルホニル基、炭素原子数０〜１２のスルファモイル基、炭素原子数１〜１２のハロゲン化アルキル基、炭素原子数１〜１２のハロゲン化アルコキシ基、炭素原子数１〜１２のハロゲン化アルキルチオ基、炭素原子数７〜１８のハロゲン化アリールオキシ基、２つ以上の他の電子吸引性基で置換された炭素原子数７〜１８のアリール基、窒素原子、酸素原子、またはイオウ原子を有する５〜８員環で炭素原子数１〜１８のヘテロ環基である。
【００６２】
前記一般式（１）において、Ｚ１およびＺ２は、それぞれ、水素原子、置換または無置換のアルキル基、置換または無置換のアルケニル基、置換または無置換のアルキニル基、置換または無置換のアラルキル基、置換または無置換のアリール基、置換または無置換のヘテロ環基であり、Ｚ１およびＺ２は同一でも異なっていてもよい。前記アルキル基、前記アルケニル基、前記アルキニル基、前記アラルキル基、前記アリール基および前記ヘテロ環基は、前記Ｒ１、Ｒ２、Ｙ１およびＹ２におけるのと同様である。
【００６３】
前記一般式（１）において、Ｍは、水素原子またはカチオンである。前記カチオンは、アルカリ金属イオン、アンモニウムイオンまたは第４級アンモニウムイオンである。前記カチオンは、好ましくは、Ｌｉ、Ｎａ、Ｋ、ＮＨ４、ＮＲ４である。ここで、前記Ｒ４におけるＲは、アルキル基またはアリール基であり、前記Ｒ１、Ｒ２、Ｙ１およびＹ２におけるのと同様である。これらの中でも、前記カチオンは、Ｌｉ、Ｎａ、Ｋ、ＮＨ４であることが好ましい。
【００６４】
前記一般式（１）で表される染料の好ましい置換基の組み合わせとしては、種々の置換基の少なくとも１つが前記の好ましい基であることが好ましく、より多くの種々の置換基が前記の好ましい基であることがより好ましく、全ての置換基が前記の好ましい基であることが最も好ましい。
【００６５】
前記一般式（１）で表される染料の特に好ましい置換基の組み合わせは、つぎの（イ）〜（ホ）を含む。
【００６６】
（イ）Ｒ１、Ｒ２は、同一でも異なっていてもよく、好ましくは、置換または無置換の総炭素原子数１〜１２のアルキル基、置換または無置換の総炭素原子数６〜１８のアリール基、置換または無置換の総炭素原子数４〜１２ヘテロ環基であり、より好ましくは、総炭素原子数１〜８の直鎖または分岐鎖アルキル基であり、さらに好ましくは、２級または３級のアルキル基であり、最も好ましくは、ｔ−ブチル基である。
【００６７】
（ロ）Ｘ１、Ｘ２は、それぞれ、電子吸引性基であり、同一でも異なっていてもよく、好ましくは、シアノ基、炭素原子数１〜１２のアルキルスルホニル基、炭素原子数６〜１８のアリールスルホニル基、炭素原子数０〜１２のスルファモイル基であり、より好ましくは、シアノ基、炭素原子数１〜１２のアルキルスルホニル基である。
【００６８】
（ハ）Ｙ１、Ｙ２は、同一でも異なっていてもよく、好ましくは、水素原子、置換または無置換の総炭素原子数１〜１２のアルキル基、置換または無置換の総炭素原子数６〜１８のアリール基、置換または無置換の総炭素原子数４〜１２ヘテロ環基であり、より好ましくは、水素原子、置換または無置換のアルキル基であり、最も好ましくは、水素原子である。
【００６９】
（ニ）Ｚ１、Ｚ２は、同一でも異なっていてもよく、好ましくは、置換または無置換の総炭素原子数１〜１２のアルキル基、置換または無置換の総炭素原子数６〜１８のアリール基、置換または無置換の総炭素原子数４〜１２のヘテロ環基であり、より好ましくは、置換または無置換のアリール基、置換または無置換のヘテロ環基であり、特に好ましくは、置換アリール基である。
【００７０】
（ホ）Ｍは、好ましくは、水素原子、アルカリ金属イオン、アンモニウムイオン、第４級アンモニウムイオンであり、より好ましくは、水素原子、Ｌｉ、Ｎａ、Ｋ、ＮＨ４である。
【００７１】
前記染料の好ましい具体例としては、下記の構造式（１−Ａ）〜（１−Ｅ）で表わされる化合物があげられる。
【００７２】
【化３】
0005458490.tif 000006
【化４】
0005458490.tif 000007
【化５】
0005458490.tif 000008
【化６】
0005458490.tif 000009
【化７】
0005458490.tif 000010
【００７３】
前記染料の配合割合は、特に制限されない。インクに前記染料を含ませることで、前記インクを用いた記録物の耐光性、耐オゾン性等の堅牢性を向上させることができる。前述のとおり、前記染料の配合割合は、前記インク全量に対し、０を超え６重量％以下の範囲である（０＜Ｘ≦６の条件を満たす）ことが好ましい。前記染料の配合割合を前記範囲とすることで、印字品質および吐出安定性により優れたインクを得ることができる。前記染料の配合割合は、より好ましくは、０．２〜５重量％であり、さらに好ましくは、１．５〜５重量％である。
【００７４】
前記着色剤は、前記染料のみで構成されていてもよいし、さらに他の染料および顔料等を含んでもよい。
【００７５】
前記水は、イオン交換水または純水であることが好ましい。前記インク全量に対する前記水の配合割合は、例えば、１０〜９０重量％であり、好ましくは、４０〜８０重量％である。前記水の配合割合は、例えば、他の成分の残部としてもよい。
【００７６】
前述のとおり、前記インクにおいては、エチレングリコールの配合割合が、下記（Ａ）および（Ａ’）の条件を満たすように設定されている。
（Ａ）  ３．５Ｘ−５≦Ｙ≦Ｘ＋１０
（Ａ’）２≦Ｙ≦１３
Ｘ：インク全量に対する前記染料の配合割合（重量％）
Ｙ：インク全量に対するエチレングリコールの配合割合（重量％）
エチレングリコールを、Ｙ≦Ｘ＋１０の条件を満たす配合割合で含むことにより、保存安定性に優れたインクを得ることができる。また、前記エチレングリコールの配合割合が、Ｙ≧３．５Ｘ−５の条件を満たすように設定されていることで、吐出安定性に優れたインクを得ることができる。
【００７７】
前述のとおり、前記インクでは、Ｘ＞５／３．５である場合において、エチレングリコールが、前記（Ａ）の条件を満たす配合割合で前記インクに含まれており、
Ｘ≦５／３．５である場合において、エチレングリコールが、下記（Ｂ）の条件を満たす配合割合で前記インクに含まれていてもよい。
（Ｂ）  ０＜Ｙ≦Ｘ＋１０
Ｘ：インク全量に対する前記染料の配合割合（重量％）
Ｙ：インク全量に対するエチレングリコールの配合割合（重量％）
【００７９】
前記インクは、さらに、エチレングリコール以外の水溶性有機溶剤を含んでいてもよい。ただし、前記水溶性有機溶剤の配合割合は、本発明の効果を損なわない範囲でなければならない。前記水溶性有機溶剤は、例えば、インクジェットヘッドの先端部におけるインクの乾燥を防止する湿潤剤および記録紙面上での乾燥速度を調整する浸透剤に分類される。
【００８０】
前記湿潤剤は、限定されず、例えば、メチルアルコール、エチルアルコール、ｎ−プロピルアルコール、イソプロピルアルコール、ｎ−ブチルアルコール、ｓｅｃ−ブチルアルコール、ｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、限定されず、例えば、ポリエチレングリコール、ポリプロピレングリコール等があげられる。前記アルキレングリコールは、限定されず、例えば、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール等の多価アルコールが好適である。これらの湿潤剤は、１種類を単独で用いてもよいし、２種類以上を併用してもよい。
【００８１】
前記湿潤剤の配合割合は、特に制限されない。前記インク全量に対する前記湿潤剤の配合割合は、例えば、０〜９５重量％であり、好ましくは、１０〜８０重量％であり、より好ましくは、１０〜５０重量％である。
【００８２】
前記浸透剤は、限定されず、例えば、グリコール系エーテルがあげられる。前記グリコール系エーテルは、限定されず、例えば、エチレングリコールプロピルエーテル、ジエチレングリコールプロピルエーテル、ジエチレングリコールブチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、トリプロピレングリコールメチルエーテル、トリプロピレングリコールエチルエーテル、トリプロピレングリコールプロピルエーテルおよびトリプロピレングリコールブチルエーテル等があげられる。前記浸透剤は、１種類を単独で用いてもよいし、２種類以上を併用してもよい。
【００８３】
前記浸透剤の配合割合は、０重量％を超えて２０重量％以下である。前記浸透剤の配合割合を前記範囲とすることで、前記インクの紙への浸透性を、より好適なものとできる。前記浸透剤の配合割合は、好ましくは、０．１〜１５重量％であり、より好ましくは、０．５〜１０重量％である。
【００８４】
前記インクは、必要に応じて、さらに、従来公知の添加剤を含んでもよい。前記添加剤としては、例えば、界面活性剤、粘度調整剤、表面張力調整剤、防黴剤等があげられる。前記粘度調整剤は、限定されず、例えば、ポリビニルアルコール、セルロース、水溶性樹脂等があげられる。
【００８５】
前記インクは、例えば、着色剤および水と、必要に応じて他の添加成分とを、従来公知の方法で均一に混合し、フィルターで不溶解物を除去することにより調製できる。
【００８６】
前述のとおり、本発明のインクは、例えば、イエローインクとして用いることができる。ただし、本発明は、これに限定されない。本発明のインクは、前記染料以外の着色剤を用いることにより、イエロー以外の色のインクとすることもできる。
【００８７】
本発明のインクカートリッジは、本発明の前記インクジェット記録用インクを含むインクカートリッジである。本発明のインクカートリッジの本体としては、例えば、従来公知のものを使用できる。
【００８８】
つぎに、本発明のインクジェット記録装置について説明する。本発明のインクジェット記録装置には、本発明の前記インクカートリッジを含む。これを除き、本発明のインクジェット記録装置の構成は、例えば、従来公知のインクジェット記録装置と同様であってもよい。
【００８９】
図１に、本発明のインクジェット記録装置の一例の構成を示す。図示のとおり、このインクジェット記録装置１は、４つのインクカートリッジ２と、インクジェットヘッド３と、ヘッドユニット４と、キャリッジ５と、駆動ユニット６と、プラテンローラ７と、パージ装置８とを主要な構成部材として含む。
【００９０】
前記４つのインクカートリッジ２は、イエロー、マゼンタ、シアンおよびブラックの４色のインクを、それぞれ１色ずつ含む。例えば、前記イエローインクが、前記本発明のインクである。前記インクジェットヘッド３は、記録紙等の被記録材Ｐに印字を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。
【００９１】
前記駆動ユニット６は、キャリッジ軸９と、ガイド板１０と、２つのプーリ１１および１２と、エンドレスベルト１３とを含む。前記キャリッジ軸９は、前記キャリッジ５の下端部に配置され、前記プラテンローラ７と平行に延びている。前記ガイド板１０は、前記キャリッジ部５の上端部に配置され、前記キャリッジ軸９と平行に延びている。前記２つのプーリ１１および１２は、前記キャリッジ軸９と前記ガイド板１０との間であって、前記キャリッジ軸９の両端部に配置されている。前記エンドレスベルト１３は、前記２つのプーリ１１および１２の間に掛け渡されている。
【００９２】
このインクジェット記録装置１において、前記プーリ１１がキャリッジモータ１０１の駆動により正逆回転されると、前記プーリ１１の正逆回転に伴って、前記エンドレスベルト１３に接合されている前記キャリッジ５が、前記キャリッジ軸９および前記ガイド板１０に沿って、直線方向に往復移動する。
【００９３】
前記被記録材Ｐは、このインクジェット記録装置１の側方又は下方に設けられた給紙カセット（図示せず）から給紙される。前記被記録材Ｐは、前記インクジェットヘッド３と、前記プラテンローラ７との間に導入される。すると、前記被記録材Ｐに、前記インクジェットヘッド３から吐出されるインクにより所定の印字がなされる。前記被記録材Ｐは、その後、前記インクジェット記録装置１から排紙される。図１においては、前記被記録材Ｐの給紙機構及び排紙機構の図示を省略している。
【００９４】
前記パージ装置８は、前記プラテンローラ７の側方に設けられ、前記ヘッドユニット４がリセット位置（この例においては、前記パージ装置８の上部）にある時に、前記インクジェットヘッド３と対向するように配置されている。前記パージ装置８は、パージキャップ１４と、ポンプ１５およびカム１６と、インク貯留部１７とを含む。前記パージキャップ１４は、前記ヘッドユニット４が前記リセット位置にある時に、前記インクジェットヘッド３の複数のノズル（図示せず）を覆う。前記ポンプ１５は、前記カム１６の駆動により前記インクジェットヘッド３の内部に溜まる気泡等を含んだ不良インクを吸引する。これにより、前記インクジェットヘッドの回復が図られる。前記吸引された不良インクは、前記インク貯留部１７に貯められる。
【００９５】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、印字が終了すると前記リセット位置に戻される前記インクジェットヘッド３の複数のノズルを覆うものである。
【００９６】
この例のインクジェット記録装置１においては、前記４つのインクカートリッジ２は、１個のキャリッジ５に搭載されている。ただし、本発明は、これに限定されない。本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記チューブ等により、前記インクカートリッジから前記ヘッドユニットに前記インクが供給される。
【００９７】
つぎに、本発明のインクジェット記録用インクの安定化方法について説明する。前記インクは、着色剤および水を含む。前記着色剤は、前記一般式（１）で表される染料を含む。前記インクにおいて、エチレングリコールの配合割合を、下記（Ａ）および（Ａ’）の条件を満たすように設定し、かつ、浸透剤の配合割合を、下記（Ａ’’）の条件を満たすように設定することで、前記インクを安定化する。前記浸透剤は、エチレングリコールプロピルエーテル、ジエチレングリコールプロピルエーテル、ジエチレングリコールブチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、トリプロピレングリコールメチルエーテル、トリプロピレングリコールエチルエーテル、トリプロピレングリコールプロピルエーテルおよびトリプロピレングリコールブチルエーテルからなる群から選択される少なくとも一つを含む。
（Ａ）  ３．５Ｘ−５≦Ｙ≦Ｘ＋１０
（Ａ’）２≦Ｙ≦１３
（Ａ’’）０＜Ｚ≦２０
Ｘ：インク全量に対する前記染料の配合割合（重量％）
Ｙ：インク全量に対するエチレングリコールの配合割合（重量％）
Ｚ：インク全量に対する浸透剤の配合割合（重量％）
本発明のインクジェット記録用インクの安定化方法は、本発明の前記インクジェット記録用インクの安定化に好適に適用できる。
【００９８】
本発明のインクジェット記録用インクの安定化方法では、Ｘ＞５／３．５である場合において、エチレングリコールが、前記（Ａ）の条件を満たす配合割合で前記インクに含まれており、Ｘ≦５／３．５である場合において、エチレングリコールが、下記（Ｂ）の条件を満たす配合割合で前記インクに含まれていてもよい。
（Ｂ）  ０＜Ｙ≦Ｘ＋１０
Ｘ：インク全量に対する前記染料の配合割合（重量％）
Ｙ：インク全量に対するエチレングリコールの配合割合（重量％）
【０１００】
本発明のインクジェット記録用インクの安定化方法では、さらに、下記（Ｃ）の条件を満たすことが好ましい。
（Ｃ）  ０＜≦Ｘ≦６
Ｘ：インク全量に対する前記染料の配合割合（重量％）
【実施例】
【０１０１】
つぎに、本発明の実施例について比較例と併せて説明する。なお、本発明は、下記の実施例および比較例によってなんら限定ないし制限されない。
【０１０２】
［実施例１〜９および比較例１〜８］
インク組成成分（下記表１および表２）を、均一に混合した。その後、前記混合物を、東洋濾紙（株）製の親水性ポリテトラフルオロエチレン（ＰＴＦＥ）タイプメンブレンフィルタ（孔径０．２μｍ）を用いて濾過することで、実施例１〜９および比較例１〜８のインクジェット記録用インクを得た。なお、表１および表２において、染料（１−Ａ）〜（１−Ｅ）は、それぞれ、前記構造式（１−Ａ）〜（１−Ｅ）で表される化合物である。
【０１０３】
各実施例および各比較例のインクについて、（ａ）凝集評価、（ｂ）保存安定性評価および（ｃ）総合評価を、下記の方法により行った。
【０１０４】
（ａ）凝集評価
まず、図２（Ａ）に示すように、ブラザー工業（株）製の黒インクカートリッジＬＣ１０ＢＫのインク２２と、各実施例および各比較例のインク２３とを、それぞれ、３μＬずつスライドガラス２１上に滴下した。ついで、図２（Ｂ）に示すように、前記滴下したインクをカバーガラス２４で覆うことで、両インクを接触させた。このようにして作製したプレパラートの前記両インクの界面２５を、顕微鏡で観察し、下記の評価基準に従って評価した。なお、著しい凝集物の存在は、インクジェットノズルからのインクの吐出時において、不吐出および噴射乱れ等の不安定な吐出を引き起こす原因であるため、この凝集評価結果が良好であれば、吐出安定性に優れたインクであると判断できる。
【０１０５】
凝集評価基準
Ｇ  ：両インクの界面２５に、粒状の凝集物は見られるが、凝集物が連続して形成された壁のような凝集は見られなかった。
ＮＧ：両インクの界面２５に凝集物が連続して形成された壁のような凝集が見られた。
【０１０６】
（ｂ）保存安定性評価
各実施例および各比較例のインクを純水で１６００倍に希釈した希釈液の波長４４０ｎｍにおける吸光度を、（株）島津製作所製の紫外可視近赤外分光光度計ＵＶ３６００を用いて測定した。前記吸光度の測定には、セル長１０ｍｍの測定セルを用いた。ついで、別途、前記インクを密閉容器に入れ、温度７０℃の環境下で、１週間保存した。つぎに、前記保存後の前記インクを純水で１６００倍に希釈した希釈液の吸光度を、保存前と同様にして、測定した。つぎに、下記式（Ｉ）により吸光度減少率（％）を求め、保存安定性を、下記の評価基準に従って評価した。なお、前記吸光度減少率が小さいほど、前記染料の分解が抑制され、保存安定性に優れていたこととなる。
吸光度減少率（％）＝｛（Ｘ−Ｙ）／Ｘ｝×１００      ・・・（Ｉ）
Ｘ：保存前の吸光度
Ｙ：保存後の吸光度
【０１０７】
保存安定性評価基準
Ｇ  ：吸光度減少率が、５％未満
ＮＧ：吸光度減少率が、５％以上
【０１０８】
（ｃ）総合評価
各インクについて、前記（ａ）および（ｂ）の結果から、下記の評価基準に従って総合評価を行った。
【０１０９】
総合評価基準
Ｇ  ：すべての評価結果がＧであった。
ＮＧ：評価結果のいずれかにＮＧがあった。
【０１１０】
各実施例のインクの組成および評価結果を、下記表１に示す。また、各比較例のインクの組成および評価結果を、下記表２に示す。さらに、各実施例および各比較例におけるインク全量に対する前記染料の配合割合［Ｘ（重量％）］とエチレングリコールの配合割合［Ｙ（重量％）］との関係を、図３に示す。
【０１１１】
【表１】
0005458490.tif 000011
【０１１２】
【表２】
0005458490.tif 000012
【０１１３】
前記表１に示すとおり、実施例１〜９のインクは、凝集評価および保存安定性評価の双方の結果が、良好であった。一方、Ｙ＜３．５Ｘ−５である比較例１、２、４および５のインクは、保存安定性評価の結果は良好であったが、凝集評価の結果が劣っていた。また、Ｙ＞Ｘ＋１０である比較例３、６、７および８のインクは、凝集評価の結果は良好であったが、保存安定性評価の結果が劣っていた。
【産業上の利用可能性】
【０１１４】
以上のように、本発明のインクは、保存安定性および吐出安定性に優れ、且つ、記録物の堅牢性にも優れるものである。本発明のインクの用途は、限定されず、各種のインクジェット記録に広く適用可能である。
【図面の簡単な説明】
【０１１５】
【図１】図１は、本発明のインクジェット記録装置の構成の一例を示す概略斜視図である。
【図２】図２は、本発明の実施例における凝集評価の方法を説明する図である。
【図３】図３は、各実施例および各比較例におけるインク全量に対する前記染料の配合割合［Ｘ（重量％）］とエチレングリコールの配合割合［Ｙ（重量％）］との関係を示す図である。
【符号の説明】
【０１１６】
１          インクジェット記録装置
２          インクカートリッジ
３          インクジェットヘッド
４          ヘッドユニット
５          キャリッジ
６          駆動ユニット
７          プラテンローラ
８          パージ装置
９          キャリッジ軸
１０        ガイド板
【図１】
0005458490.tif 000017
【図２】
0005458490.tif 000018
【図３】
0005458490.tif 000019